(57)【要約】【課題】２つのＨＳＴを伝動切換手段９の操作によって直進・左右旋回の伝動を行なうと共に、直進走行時の伝動を１つのＨＳＴで行なうＨＳＴ伝動構造を提供する。【解決手段】左右の走行輪１７，１８と対となる２つのＨＳＴ１２，１３を主変速レバー８で回転調節機構４０を操作して変速可能に駆動するとともに、前記２つのＨＳＴ１２，１３を操向操作手段７によって選択操作して直進走行と左旋回と右旋回の伝動を行なう走行車輛において、前記２つのＨＳＴ１２，１３を走行輪１７，１８間の伝動系中に、操向操作手段７の選択操作によって、左右の走行輪１７，１８をそれぞれ単独のＨＳＴ１２，１３により駆動させて左旋回と右旋回を行なうとともに、一方のＨＳＴ１２の伝動を切断した状態で他方のＨＳＴ１３のみによって、左右の走行輪１７，１８を同時伝動させて直進走行させる伝動切換手段９を設けた走行車輛のＨＳＴ伝動構造。【選択図】　　　図４
2004122957.tif 000002
【特許請求の範囲】
【請求項１】
左右の走行輪１７，１８と対となる２つのＨＳＴ１２，１３を主変速レバー８で回転調節機構４０を操作して変速可能に駆動するとともに、前記２つのＨＳＴ１２，１３を操向操作手段７によって選択操作して直進走行と左旋回と右旋回の伝動を行なう走行車輛において、前記２つのＨＳＴ１２，１３を走行輪１７，１８間の伝動系中に、操向操作手段７の選択操作によって、左右の走行輪１７，１８をそれぞれ単独のＨＳＴ１２，１３により駆動させて左旋回と右旋回を行なうとともに、一方のＨＳＴ１２の伝動を切断した状態で他方のＨＳＴ１３のみによって、左右の走行輪１７，１８を同時伝動させて直進走行させる伝動切換手段９を設けた走行車輛のＨＳＴ伝動構造。
【発明の詳細な説明】
【０００１】
【発明の属する技術分野】
本発明は、クローラ式の走行装置を備えたコンバイン等に用いることができる走行車輛のＨＳＴ伝動構造に関する。
【０００２】
【従来の技術】
従来、クローラ式の走行装置をＨＳＴを用いて操向操作及び変速操作を行なうコンバインは、クローラを巻き掛けた走行輪をトランスミッションの左右に軸支するとともに、該左右の走行輪をそれぞれ駆動する２つのＨＳＴを設けて、左旋回と右旋回の走行を行ない、機体を直進走行させる際には、上記２つのＨＳＴを同期回転するように連結した状態で左走行輪と右走行輪を同時伝動させることにより行なうようにしている（例えば、特許文献１参照。）。
【０００３】
【特許文献１】
特開２００２−８１５４１号公報
【０００４】
【発明が解決しようとする課題】
上記特許文献１に記載された構成による伝動構造を備えたコンバインは、直進走行時に２つのＨＳＴを連結するので、一方のＨＳＴと他方のＨＳＴがその油圧モータや油圧ポンプに油圧特性の異なりや微小な回転差を有している場合に、互いのＨＳＴに負荷がかかり、ＨＳＴ効率を低下させるとともに馬力のロスが大きくなる等の問題があった。
【０００５】
【発明を解決するための手段】
上記目的を達成するための本発明の走行車輛のＨＳＴ伝動構造は、左右の走行輪１７，１８を対となる２つのＨＳＴ１２，１３を主変速レバー８で回転調節機構４０を操作して変速可能に駆動するとともに、前記２つのＨＳＴ１２，１３を操向操作手段７によって選択操作して直進走行と左旋回と右旋回の伝動を行なう走行車輛において、前記２つのＨＳＴ１２，１３を走行輪１７，１８間の伝動系中に、操向操作手段７の選択操作によって、左右の走行輪１７，１８をそれぞれ単独のＨＳＴ１２，１３により駆動させて左旋回と右旋回を行なうとともに、一方のＨＳＴ１２の伝動を切断した状態で他方のＨＳＴ１３のみによって、左右の走行輪１７，１８を同時伝動させて直進走行させる伝動切換手段９を設けたことを特徴としている。
【０００６】
【発明の実施の形態】
本発明の実施の形態を図面に基づいて説明する。
【０００７】
１はＨＳＴ方式のトランスミッション２を備えて操向操作を行なうようにしたクローラ車輛の１例として示すコンバインであり、このコンバイン１は左右のクローラ１Ｌ，１Ｒからなる走行装置を備えた機台１ａ上に前側から刈取部３、脱穀部４及び操縦部５と穀粒タンク６を従来の装置と同様な配置及び構造によって設置しコンバイン作業を行なうようにしている。
【０００８】
また図２、図３で示すように、操縦部５には機体の操向操作を行う操向操作手段としての操向レバー７と、機体の前後進変速操作を行う主変速レバー８並びに各種の作業部レバー等を設けている。
【０００９】
尚、上記操向レバー７は、後述するＨＳＴ伝動構造中に設けた伝動切換手段９と接続し、この伝動切換手段９を介して直立姿勢では機体を直進走行させ、左方への傾倒姿勢では機体を左旋回させ、また右方への傾倒姿勢では右旋回走行をさせるようにしている。
【００１０】
上記操向レバー７はその握部の表面左右に上記左右の旋回をそれぞれ微調整する左方向修正スイッチ１０と右方向修正スイッチ１１を設けている。
【００１１】
次に図４を参照してトランスミッション２の構成について説明する。
【００１２】
トランスミッション２はケース２ａの上側の側面に一対のＨＳＴ１２（以下左ＨＳＴと言う）とＨＳＴ１３（以下右ＨＳＴと言う）を設け、その各ＨＳＴのモータ軸１２Ｍとポンプ軸１２Ｐ、モータ軸１３Ｍとポンプ軸１３Ｐをケース２ａに軸支し、各ポンプ軸１２Ｐ，１３Ｐに設けた入力ギヤ１２Ｎ，１３Ｎに、エンジン１Ｅからベルト伝動機構１４を介して駆動される入力軸１５に設けた入力ギヤ１６を噛合させて同調して駆動されるようにしている。
【００１３】
尚、図示例のＨＳＴ１２，１３はいずれも油圧モータＭと油圧ポンプＰで構成され、油圧ポンプＰ側を主変速レバー８の操作によって斜板の角度を調整して油圧モータＭ側を速度変更させるようにしている。
【００１４】
また、モータ軸１２Ｍ，１３Ｍにはそれぞれ駆動ギヤ１２Ｋ，１３Ｋを設け、この駆動ギヤ１２Ｋ，１３Ｋから前記伝動切換手段９のクラッチ操作による断接切換え作動によって、以下の伝動系を介して左旋回伝動と右旋回伝動を択一的に切換えるとともに、右ＨＳＴ１３の駆動ギヤ１３Ｋ側の動力で、トランスミッション２の下段に軸支されている左右の走行輪１７，１８を同時に駆動して機体の直進伝動も行なうことができるようにしている（１台のＨＳＴで２個の走行輪の駆動）。
【００１５】
即ち、伝動切換手段９は、駆動ギヤ１２Ｋと噛合する左ＨＳＴギヤ２０と、駆動ギヤ１３Ｋと噛合する右ＨＳＴギヤ２１と、両ギヤ２０、２１の中間に位置する左駆動ギヤ２２を備えている。そして各ギヤはその軸部を互いに嵌合させて軸基部側に形成したクラッチ爪部を、前記操向レバー７によって操作される油圧シリンダ等からなるアクチュエータ２３の進退作動によって選択的に噛合させる機構にしている。尚、上記アクチュエータ２３の作動は後述する図５の伝動切換クラッチソレノイド２３ａによって行なわれるようになっている。
【００１６】
これにより伝動切換手段９は、操向レバー７を左傾倒姿勢に操作すると、左ＨＳＴ１２側の動力を駆動ギヤ１２Ｋ、左ＨＳＴギヤ２０、左駆動ギヤ２２を介して右ＨＳＴギヤ２１、走行輪１８の伝動を断ち、この左駆動ギヤ２２から後述する中間伝動系を経て走行輪１７を駆動する。
【００１７】
また、操向レバー７を右傾倒姿勢に操作すると、右ＨＳＴ１３側の動力を駆動ギヤ１３Ｋ、右ＨＳＴギヤ２１を介して中間伝動系を経て走行輪１８のみを駆動する。
【００１８】
さらに操向レバー７が直立姿勢であるときは、伝動切換手段９が左ＨＳＴギヤ２０を空転させることにより左ＨＳＴ１２の出力を切断し、左駆動ギヤ２２と右ＨＳＴギヤ２１が連結した状態で、駆動ギヤ１３Ｋを介して右ＨＳＴ１３側の動力が右ＨＳＴギヤ２１とそれぞれのギヤを介し上記中間伝動系を経て走行輪１７，１８を共に同時に回転させることができる。
【００１９】
即ち、この状態では左ＨＳＴ１２と右ＨＳＴ１３は同一回転数で出力しているので、左ＨＳＴ１２からの動力は伝動切換手段９によって切断されて空転している。
【００２０】
上記中間伝動系は、ケース２ａ内で走行輪１７，１８をそれぞれ有する車軸２５，２６の内端に設けた車軸ギヤ２７，２８と、左駆動ギヤ２２に伝動ギヤ３０を噛合して入力される左副変速ギヤ機構３１と、右ＨＳＴギヤ２１に伝動ギヤ３２を噛合して入力される右副変速ギヤ機構３３と、上記左副変速ギヤ機構３１と車軸ギヤ２７及び右副変速ギヤ機構３３と車軸ギヤ２８を中継伝動するギヤ３５，３６及びギヤ３７，３８を軸支する中間軸３９等から構成されている。
【００２１】
尚、上記左副変速ギヤ機構３１と右副変速ギヤ機構３３は同一変速仕様に構成されており、操縦部５に設置された図示しない副変速レバーによって、同様に変速操作される。
【００２２】
油圧ポンプＰは一般にはプランジャポンプであって、プランジャのストロークは傾斜板の傾斜角によって調整されるが、この傾斜板は走行レバー７の傾斜角をコンピュータに入力してモータを駆動し、その回転をギヤを介してポンプＰのトラニオン軸を回転させ、前記走行レバー７の傾斜角に対応する回転数を得るように構成されたもので、本発明においてはこの構成を回転調整機構４０と称している。
【００２３】
また、上記のように構成されたＨＳＴ伝動構造において、２つのＨＳＴ１２，１３による伝動系を切換操作する伝動切換手段９は操向レバー７の左右傾倒操作で行なう一方、この操向レバー７の握部に設けた前述の左方向修正スイッチ１０あるいは右方向修正スイッチ１１によっても、各スイッチのＯＮ方向側への旋回を瞬時的に行なうことができるように構成されており、この構成により左旋回と右旋回を微小に行なわせて機体の直進走行時における方向修正を行ない易くしている。
【００２４】
また、この実施形態では左ＨＳＴ１２と右ＨＳＴ１３にはそれぞれモータ軸１２Ｍとモータ軸１３Ｍの出力回転を所望に変速させる回転調節機構４０（図４）を設けてそれぞれの回転調整機構４０を前記左方向修正スイッチ１０と右方向修正スイッチ１１のＯＮ操作に対応させて作動するように構成している。
【００２５】
即ち、この実施形態に係るコンバイン１は走行及び操向制御を図５で示される制御ブロックの構成によって行なうように構成し、また回転調節機構４０はその作動量（位置）を検知する電動モータポテンショメータを備えた電動モータを使用しており、左右の電動モータ４０Ｌ，４０Ｒはマイコンユニット５０の出力側に接続し、これに対応する入力側に電動モータポテンショメータ４０ＬＰ，４０ＲＰを接続している。
【００２６】
また、上記マイコンユニット５０は入力側に操向レバー７が有する、この操向レバー７の操作量を検出する操向レバーポテンショメータ５１と、主変速レバー８が有する、この主変速レバー８の操作量を検出する主変速レバーポテンショメータ５２とを有し、更に左方向修正スイッチ１０と右方向修正スイッチ１１を接続している。また、マイコンユニット５０の出力側には既述した伝動切換クラッチソレノイド２３ａを接続している。
【００２７】
以上のように構成されたコンバイン１は、停止状態から前進するとき、オペレータが主変速レバー８を前進方向に操作すると、主変速レバーポテンショメータ５２がそのレバー操作量を検出し、マイコンユニット５０は左右のＨＳＴ１２，１３が前進方向に同回転速度で回転するように、前記左右の電動モータ４０Ｌ，４０Ｒに指令する。この電動モータ４０Ｌ、４０Ｒの操作量は左右の伝動モータポテンショメータ４０ＬＰ，４０ＲＰが操作信号をマイコンユニット５０に入力することにより制御される。
【００２８】
このとき、伝動切換手段９は操向レバー７が直立姿勢であるので直進位置に付勢され、実際には右ＨＳＴ１３のみで前進して左ＨＳＴ１２は空転状態になる。
【００２９】
また、例えば上記前進状態から機体を左方向に旋回する際には、オペレータが操向レバー７を左方向に操作すると、操向レバーポテンショメータ５１がレバー操作量を検出してマイコンユニット５０に入力するので、マイコンユニット５０は伝動切換クラッチソレノイド２３ａに出力して伝動切換手段９を操作し、左ＨＳＴ１２を操向レバーポテンショメータ５１からの出力に基づいて減速させて前記伝動切換手段９及び中間伝動系を介し左方向に旋回する。
【００３０】
そして、上記左旋回状態から機体を直進状態に戻すときは、オペレータが操向レバー７を中立位置に操作すると、操向レバーポテンショメータ５１がレバー中立位置を検出するので、マイコンユニット５０は左ＨＳＴ１２を右ＨＳＴ１３と同じ回転速度になるように左電動モータ４０Ｌに出力し、左右の回転が同じになったと判断されたら伝動切換クラッチソレノイド２３ａへの出力を停止して直進状態に戻す。
【００３１】
また、コンバイン１を直進状態から条合わせする等のために左方向に微調整する時には、オペレータが操向レバー７に設置された左方向修正スイッチ１０を操作すると、マイコンユニット５０は伝動切換クラッチソレノイド２３ａに出力して伝動切換手段９を操作し、左ＨＳＴ１２が一定時間だけ所定回転（わずかな量だけ）減速するように左電動モータ４０Ｌに出力し、次いで一定時間の経過した後に直進状態に戻すために所定量増速方向に出力し、伝動切換クラッチソレノイド２３ａの出力を停止することにより僅かに左方向への方向修正をする。
【００３２】
尚、右旋回及び右方向への瞬時的な方向修正は、操向レバー７の右旋回操作と右方向修正スイッチ１１の操作によって同様に行なうことができる。
【００３３】
以上のように構成したＨＳＴ伝動構造を備えたコンバイン１は、左右の走行輪１７，１８と対となる２つのＨＳＴ１２，１３を主変速レバー８で回転調節機構４０を操作して変速可能に駆動するとともに、前記２つのＨＳＴ１２，１３を操向操作手段７によって選択操作して直進走行と左旋回と右旋回の伝動を行なう走行車輛において、前記２つのＨＳＴ１２，１３をと走行輪１７，１８間の伝動系中に、操向操作手段７の選択操作によって、左右の走行輪１７，１８をそれぞれ単独のＨＳＴ１２，１３により駆動させて左旋回と右旋回を行なうとともに、一方のＨＳＴ１２の伝動を切断した状態で他方のＨＳＴ１３のみによって、左右の走行輪１７，１８を同時伝動させて直進走行させる伝動切換手段９を設けて構成している。
【００３４】
従って、操向レバー７が図２、図３で示す直立姿勢では伝動切換手段９によって２つのＨＳＴ１２，１３のうち一方のＨＳＴ、即ち、この例においては右ＨＳＴ１３のもののみの動力で左右の走行輪１７，１８を同時に同回転させるので、機体を直進させることができる（尚、何れのＨＳＴを停止するかは、操作条件や装置の構造などで決定されるものである）。
【００３５】
このとき他方の左ＨＳＴ１２は無負荷状態で空回りするので、上記２つのＨＳＴに油圧特性等に差異を有していたとしても、一方のＨＳＴによって効率よく駆動することができるので馬力ロス等の問題を生じない。
【００３６】
また、他方のＨＳＴは上記一方のものと入力ギヤ１６を介して同調回転させているので、直進方向伝動から左右旋回伝動への切換え操作が行なわれるときに、ショック等を伴うことなく円滑な切換え伝動を行なうことができる。
【００３７】
更に、上記ＨＳＴ伝動構造の伝動切換手段９は、図４に示すように走行輪１７、１８への伝動系の上手側、即ち２つのＨＳＴ側に近接させたトランスミッション２の上方側で、ケース２ａの一側面にメンテナンス性よく設置することができるから、組立性の向上及び点検修理等も行ない易くする等の利点がある。
【００３８】
更に、左右の走行輪１７，１８を対となる２つのＨＳＴ１２，１３を選択操作し、直進走行と左旋回と右旋回の伝動を行う走行車両において、前記２つのＨＳＴ１２，１３と走行輪１７，１８の間の伝動系中に、一方のＨＳＴ１２の伝動を切断した状態で他方のＨＳＴ１３によって、左右の走行輪１７，１８を同時回転させて直進走行させる伝動切換手段９を設けるとともに、２つのＨＳＴ１７，１８に回転調整機構４０を設け、且つ伝動切換手段９と回転調整機構４０を左方向修正スイッチ１０と右方向修正スイッチ１１で旋回操作可能に接続し、左方向修正スイッチ１０をＯＮしたとき左旋回操作可能に接続し、左修正スイッチ１０をＯＮしたとき左旋回を瞬時的に行わせるとともに、右方向修正スイッチ１１をＯＮしたとき右旋回を瞬時的に行わせるように構成する。
【００３９】
すると直進走行時において、左方向修正スイッチ１０又は右方向修正スイッチ１１をＯＮ操作したとき、対応する回転調整機構４０を作動してモータ軸１２Ｍ又はモータ軸１３Ｍが設定された回転で、伝動切換手段９を介して走行輪１７又は走行輪１８は、一方が瞬時的に伝動を減速された状態で他方が伝動されるので、機体の左旋回の右旋回の微調整により方向修正をスムーズに行ない植立穀稈条に沿ったコンバイン作業を適正にすることができる。
【００４０】
また上記のように構成することにより、従来の装置のようにＨＳＴ伝動構造中にメカニカルな調整機構を省略できるから、簡潔で廉価な構成にすることができ、またメンテナンス作業も簡単にすることができる等の特徴がある。
【００４１】
尚、操向操作手段７は操向レバー７に限ることなく，この操向レバー７に代るスイッチにしてもよい。また、回転調整機構４０は伝動モータ４０をボリューム等によって可変型にすると修正旋回速度を所望に選定できる。また、図示例では走行輪にクローラを巻き掛けた走行装置を示したが、走行輪がタイヤであってもよい。
【００４２】
【発明の効果】
上記の説明から明らかなように本発明の走行車輛のＨＳＴ伝動構造は、左右の走行輪１７，１８と対となる２つのＨＳＴ１２，１３を主変速レバー８で回転調節機構４０を操作して変速可能に駆動するとともに、前記２つのＨＳＴ１２，１３を操向操作手段７によって選択操作して直進走行と左旋回と右旋回の伝動を行なう走行車輛において、前記２つのＨＳＴ１２，１３を走行輪１７，１８間の伝動系中に、操向操作手段７の選択操作によって、左右の走行輪１７，１８をそれぞれ単独のＨＳＴ１２，１３により駆動させて左旋回と右旋回を行なうとともに、一方のＨＳＴ１２の伝動を切断した状態で他方のＨＳＴ１３のみによって、左右の走行輪１７，１８を同時伝動させて直進走行させる伝動切換手段９を設けて構成している。
【００４３】
従って，２つのＨＳＴを伝動切換手段９の切り換え操作によって直進走行及び左旋回、右旋回の伝動をスムーズに行なうことができる。また直進走行時を一方のＨＳＴのみによって行なうから効率のよい伝動を行なうことができる。
【００４４】
また、本発明によれば単独のＨＳＴ１２、１３により左右の走行輪１７、１８を駆動するので両走行輪１７、１８の回転が確実に揃うので直進性に優れた走行を極めて容易に行うことができる。
【図面の簡単な説明】
【図１】ＨＳＴ伝動構造を備えたコンバインの斜視図である。
【図２】図１の操縦部を示す斜視図である。
【図３】図２の操向レバーを示す平面図である。
【図４】図１のトランスミッションの構成を示す伝動図である。
【図５】制御ブロック図である。
【符号の説明】
１　　コンバイン（走行車輛）
２　　トランスミッション
５　　操縦部
７　　操向レバー
９　　連結クラッチ
１０　　左方向修正スイッチ
１１　　右方向修正スイッチ
１７，１８　走行輪
４０　　回転調整機構（伝動モータ）
【図１】
2004122957.tif 000003
【図２】
2004122957.tif 000004
【図３】
2004122957.tif 000005
【図４】
2004122957.tif 000006
【図５】
2004122957.tif 000007